(57)【要約】      （修正有）【課題】商品をアームから取外したりアームに取付けたりするとき水平バーから脱落し難い商品陳列用フックを提供する。【解決手段】フック本体２は、水平バーに係合可能な下向き凹部２０ａを有し、下向き凹部が、水平バーの上面に載置される基板２１と、基板２１の前後端から水平バーの前後面に沿って垂下するように配置された前後一対の垂下壁２２とから形成され、一対の垂下壁２２は、可撓性の材料からなり、両垂下壁間の間隔が下方に向けて狭まるように形成され、両垂下壁のうち、少なくとも一方の垂下壁は、フック本体２を水平バーに係合させたとき、水平バーの下端から突出するように他方の垂下壁よりも長く下方に延びた延出部２３を有し、延出部２３は、その内面に内方突起４を有し、内方突起４は、延出部２３の内面に形成した凸部４１と、凸部の突端から下方に延出部の内面に向けて傾斜したスライド面４２とを有するようにした。【選択図】図１
0003144637.tif 000002
【実用新案登録請求の範囲】
【請求項１】
立設された商品陳列用什器の断面略矩形の水平バーに係合可能なフック本体と、該フック本体に取付けられた商品吊下げ用アームとを備えた商品陳列用フックにおいて、
前記フック本体は、前記水平バーに係合可能な下向き凹部を有し、該下向き凹部が、前記水平バーの上面に載置される基板と、該基板の前後端から前記水平バーの前後面に沿って垂下するように配置された前後一対の垂下壁とから形成され、
該一対の垂下壁は、可撓性の材料からなり、両垂下壁間の間隔が下方に向けて狭まるように形成され、
前記両垂下壁のうち、少なくとも一方の垂下壁は、前記フック本体を前記水平バーに係合させたとき、該水平バーの下端から突出するように他方の垂下壁よりも長く下方に延びた延出部を有し、
該延出部は、その内面に内方突起を有し、
該内方突起は、前記延出部の内面に形成した凸部と、該凸部の突端から下方に前記延出部の内面に向けて傾斜したスライド面とを有する、
ことを特徴とする商品陳列用フック。
【請求項２】
前記フック本体の前記基板及び前記他方の垂下壁は前記一方の垂下壁に比して肉厚が厚くて可撓性が小さく、前記一方の垂下壁は肉厚が比較的薄くて可撓性が比較的に大きい、
ことを特徴とする請求項１に記載の商品陳列用フック。
【請求項３】
前記延出部は、前記両垂下壁のうち、後方の垂下壁に形成した、
ことを特徴とする請求項１または２に記載の商品陳列用フック。
【考案の詳細な説明】
【技術分野】
【０００１】
本考案は、立設された商品陳列用什器の断面略矩形の水平バーに係合可能なフック本体と、該フック本体に取付けられた商品吊下げ用アームとを備えた商品陳列用フックに関する。
【背景技術】
【０００２】
近年、対面販売しないスーパー、コンビニ等の店舗において、商品を陳列するために立設された商品陳列用什器が多用されている。この種の商品陳列用什器は、水平及び垂直フレームから形成される外枠の中に、水平ワイヤ、水平鉄線等の水平に延びる多数の線材を多段に取付けたものや、断面略矩形の水平バーを多段に取付けたもの等がある。この水平ワイヤや水平バーなどに商品陳列用フックが係合される。
【０００３】
商品陳列用フックは、金属製又は合成樹脂製のフック本体と商品吊下げ用アーム（以下「アーム」という。）とを備えており、断面略矩形の水平バーに係脱可能にしたものの一例として、図４（ａ）（ｂ）に示すようなものが、特許文献１や特許文献２などで提案されている。
【０００４】
図４（ａ）（ｂ）に示すように、商品陳列用フック１００のアーム３００は、各種多様な商品をアーム毎に種別して吊下げて陳列できるように、基端部３１０がフック本体２００の前面２０１や上面２０２に取付けられ、商品吊下げ部３２０が不図示の商品陳列用什器により形成される垂直面から買い手に向かって突出するように形成されている。商品は、アーム３００の商品吊下げ部３２０に吊下げできるように、アーム挿入穴が空いているか又はアーム係止用鉤を有する不図示の包装を備えている。
【０００５】
商品陳列用フック１００のフック本体２００は、水平バー６に係合可能な下向き凹部２２０を有している。フック本体２００の下向き凹部２２０は、断面略矩形の水平バー６に容易に係合可能にするために、水平バー６の上面６１に載置される基板２２１と、基板２２１の前後端から水平バー６の前面６４及び後面６２に沿って垂下するように配置された前後一対の垂下壁２２２ａ、２２２ｂとから形成されている。そのため、図４（ａ）に示すように、フック本体２００は、その下向き凹部２２０に水平バー６が入るように、下向き凹部２２０を上から水平バー６に向けて押込むだけで水平バー６に係合する。斯かる構造のフック本体２００を備えた商品陳列用フック１００は、水平バー６に容易に係合可能であるが、以下に説明するように、水平バー６に係合したフック本体２００が商品の買い手購入者や売り手販売者の意に反して水平バー６から脱落し易い。
【０００６】
買い手購入者は、アームに吊下げられた商品を手に取って確認したり購入するため、商品を水平バーに係合したアームから頻繁に取外したり取付ける。また、ある一本のアームに吊下げられた商品が一部又は全てそのアームから取外されると、売り手販売者はそのアームに割り当てられた商品を迅速に補充するため、水平バーに係合したアームに不足した新規な商品を頻繁に取付ける。商品をアームから取外したりアームに取付けたりする場合、買い手購入者や売り手販売者は他方の手でアームを把持するか、フック本体を水平バーに向けて押え付け、これにより、商品陳列用フックが水平バーから脱落することがないようしている。
【０００７】
【特許文献１】特開２００４―２３６９７５号公報
【特許文献２】特開平１０―５７２０３号公報
【考案の開示】
【考案が解決しようとする課題】
【０００８】
しかしながら、他方の手が自由にならない場合、商品の取外し取付けを両手を用いて行うことは難しいので、買い手購入者や売り手販売者は、一方の手を用いて商品陳列用フックが水平バーから脱落しないように商品をアームから取外したりアームに取付けざるを得ない。しかしながら、片方の手だけを用いた商品の取外し取付け動作は容易でなく、フック本体の水平バーからの脱落を招く恐れが大きく、また時間もかかり、商品の販売効率上不利である。
【０００９】
ところで、商品の販売効率上、立設された一つの商品陳列用什器に各種多様な商品を陳列することが望まれるので、一つの商品陳列用什器の多段の水平バーに多数の商品陳列用フックが縦横方向に蜜に取付けられていることが多い。密に配置した商品陳列用フックから商品を取外したり、商品陳列用フックに商品を取付ける場合、片方の手のみを用いてフック本体が水平バーから脱落しないように商品の取外し取付け動作をすることは、更に難しい。また、両手を用いることができたとしても、他方の手で多数ある商品陳列用フックの中からある一本のアームを把持するか、ある一個のフック本体を水平バーに向けて押え付けてフック本体が水平バーから脱落しないようにする動作も煩わしく、容易でない。
【００１０】
そこで、本考案は、上記事情に鑑み創出したもので、断面略矩形の水平バーに容易に係合可能であるが、商品をアームから取外したりアームに取付けたりするとき水平バーから脱落し難い商品陳列用フックを提供することを目的とする。
【課題を解決するための手段】
【００１１】
上記課題を解決するため、請求項１の考案は、
立設された商品陳列用什器の断面略矩形の水平バーに係合可能なフック本体と、該フック本体に取付けられた商品吊下げ用アームとを備えた商品陳列用フックにおいて、
前記フック本体は、前記水平バーに係合可能な下向き凹部を有し、該下向き凹部が、前記水平バーの上面に載置される基板と、該基板の前後端から前記水平バーの前後面に沿って垂下するように配置された前後一対の垂下壁とから形成され、
該一対の垂下壁は、可撓性の材料からなり、両垂下壁間の間隔が下方に向けて狭まるように形成され、
前記両垂下壁のうち、少なくとも一方の垂下壁は、前記フック本体を前記水平バーに係合させたとき、該水平バーの下端から突出するように他方の垂下壁よりも長く下方に延びた延出部を有し、
該延出部は、その内面に内方突起を有し、
該内方突起は、前記延出部の内面に形成した凸部と、該凸部の突端から下方に前記延出部の内面に向けて傾斜したスライド面とを有する、
ことを特徴とする。
【００１２】
請求項２の考案は、
前記フック本体の前記基板及び前記他方の垂下壁は前記一方の垂下壁に比して肉厚が厚くて可撓性が小さく、前記一方の垂下壁は肉厚が比較的薄くて可撓性が比較的に大きい、
ことを特徴とする。
【００１３】
請求項３の考案は、
前記延出部は、前記両垂下壁のうち、後方の垂下壁に形成した、
ことを特徴とする。
【考案の効果】
【００１４】
本考案によれば、フック本体は、断面略矩形の水平バーに係合可能な下向き凹部を有し、下向き凹部が、水平バーの上面に載置される基板と、基板の前後端から水平バーの前後面に沿って垂下するように配置された前後一対の垂下壁とから形成され、一対の垂下壁は、可撓性の材料からなり、両垂下壁間の間隔が下方に向けて狭まるように形成されている。そのため、水平バーにフック本体の下向き凹部を被せるようにフック本体を押込むと、フック本体は、該凹部の一対の垂下壁が夫々外方向に撓んで水平バーの前後面を弾力的に挟んだ状態で水平バーに係合する。
【００１５】
さらに、本考案は、両垂下壁のうち、少なくとも一方の垂下壁は、フック本体を水平バーに係合させたとき、水平バーの下端から突出するように他方の垂下壁よりも長く下方に延びた延出部を有し、延出部は、その内面に内方突起を有し、内方突起は、延出部の内面に形成した凸部と、凸部の突端から下方に延出部の内面に向けて傾斜したスライド面とを有するようにした。そのため、水平バーにフック本体の下向き凹部を被せるようにして容易に押込むことができると共に、延出部の凸部が水平バーの下面と係合し、この係合は延出部に対して外力が作用しない限り維持することができる。これにより、本考案に係るフック本体は、断面略矩形の水平バーに容易に係合することができると共に、商品をアームから取外したりアームに取付けたりするとき水平バーから脱落する恐れを小さくすることができる。
【００１６】
フック本体の基板及び短い方の垂下壁は長い方の垂下壁に比して肉厚が厚くて可撓性が小さく、長い方の垂下壁は肉厚が比較的薄くて可撓性が比較的大きくした。そのため、水平バーにフック本体の下向き凹部を押込む場合、この長い方の垂下壁の内面を水平バーの前面又は後面に押付けたとき、水平バーの下面が内方突起のスライダ面を介し凸部を越えて下向き凹部内に入るまで、フック本体の下向き凹部を水平バーの前面又は後面に沿ってスライドさせて押下げることは、長い方の垂下壁の可撓性が比較的大なので、容易にすることができる。
【００１７】
両垂下壁のうち、延出部を後方の垂下壁に形成したので、例えば、電池収納用電源ボックスなどのような縦長の各種付属品をこの後方の垂下壁に取付けることができる。斯かる付属品を後方の垂下壁に取付けたフック本体の下向き凹部が水平バーに押込まれると、前方の垂下壁側に突出したアームを備えた前方の垂下壁と後方の垂下壁との重量バランスが保つことができるので、該凹部の一対の垂下壁は水平バーの前後面を両側から均等に弾力的に挟む。これにより、フック本体は水平バーに安定して係合させることができる。
【考案を実施するための最良の形態】
【００１８】
次に、本考案の商品陳列用フックの一実施形態を図面に基づき説明する。なお、図１は、本考案に係る商品陳列用フックの一実施形態の側面図を示し、図２は、図１の実施形態の正面図を示し、図３は、水平バーに係合した状態の図１及び図２に示す実施形態の斜視図を示す。
【００１９】
図１に示す商品陳列用フック１は、フック本体２と、商品吊り下げ用アーム（以下「アーム」という。）３とからなり、アーム３は基端部３１と商品吊り下げ部３２とからなる。商品吊り下げ部３２は、その先端３３が不図示の商品の抜け外れ防止のため上方に傾斜しており、そこにはランプ１２が装着されている。基端部３１は、アーム３が揺動可能にフック本体２の後述するアーム支持ユニット２５内で軸支されている。
【００２０】
図１、２に示すように、フック本体２は、アーム支持ユニット２５と、その下部に配置した後述の水平バー６との係合部２０とを有する。アーム支持ユニット２５は、アーム３がアーム支持ユニット２５内に設けた軸２６を中心として揺動可能に基端部３１を軸支している。また、アーム支持ユニット２５内には、アーム３の上方への揺動により作動する不図示のスイッチ装置、例えばマイクロスイッチが配設されている。後述の水平バー６との係合部２０の前方の垂下壁２２ａとアーム支持ユニット２５とに跨って、ばね部材収納部１４が配設されている。この収納部１４に収められたコイルばね１５は、アーム３の基端部３１近傍において、軸２６よりも商品吊り下げ部３２寄りのアーム下面を上方に押圧する。
【００２１】
フック本体２は、図３に示すように、不図示の商品陳列用什器の二点鎖線で示した角形鋼管等からなる断面略矩形の水平バー６との係合部２０を有する。係合部２０は、図１、３に示すように、水平バー６の上面６１に載置される基板２１と、基板２１の前後端から水平バー６の前面６４及び後面６２に沿って垂下するように設けられた前後一対の垂下壁２２ａ、２２ｂとからなり、これらの部材２１、２２ａ、２２ｂの内面側に水平バー６を収納する凹部２０ａを有する。
【００２２】
フック本体２は、合成樹脂材料のＡＢＳ樹脂からなり、図１に示すように、両垂下壁２２ａ・２２ｂ間の間隔ｄが基板２１から下方に向けて若干狭まるように形成されている。後方の垂下壁２２ｂは、前方の垂下壁２２ａよりも長く下方に延びた延出部２３を有する。そのため、延出部２３は、フック本体２を水平バー６に係合させたとき、図３に示すように、水平バー６の下端６ａから突出する。
【００２３】
延出部２３の内面２３’には、前方の垂下壁２２ａの下端近傍に対応する位置から下方に延びた左右一対の内方突起４、４が設けられている。各内方突起４は、延出部２３の内面２３’から前方の垂下壁２２ａに向けて突出する凸部４１と、凸部４１の突端から下方に延出部２３の内面２３’に向けて傾斜したスライド面４２とを有する。
【００２４】
なお、図示する実施形態では、延出部２３は後方の垂下壁２２ｂに形成されているが、前方の垂下壁２２ａに形成してもよい。また、左右一対の内方突起４、４は、図２に示すように、延出部２３の内面２３’の中央部に所定の間隙ｓを設けて形成されているが、間隙ｓを設けず一体に形成してもよく、左右一対のうちいずれか一方のものでも足りる。また、内方突起４は、延出部２３の内面２３’の中央部、即ち、間隙ｓの箇所に形成してもよい。
【００２５】
図１に示すように、フック本体２の基板２１と前方の垂下壁２２ａは肉厚が略同一に形成され、後方の垂下壁２２ｂは肉厚が比較的薄く可撓性が比較的大きく形成されているので、後方の垂下壁２２ｂないしその延出部２３は、外方向への撓み変形、即ち、矢印Ａの方向への撓み変形が、前方の垂下壁２２ａの矢印Ａ’の方向への撓み変形よりも大きい。なお、フック本体２は、合成樹脂材料のＡＢＳ樹脂に限られるものではなく、若干の可撓性を有する合成樹脂材料から作られていれば良く、また、可撓性を有していれば金属製でもよい。
【００２６】
図１、図３に示すように、水平バー６との係合部２０の後方の垂下壁２２ｂとその延出部２に渡りその外面には、ランプ１２の電源として電池を収納する電源ボックス１１が配設されている。電源ボックス１１の上部には、電源をオン・オフするスイッチを収納した電源スイッチケース１３が配設されている。電源のオン・オフの切替スイッチノブ１３ａが電源スイッチケース１３の上面から突出している。このスイッチノブ１３ａは、一方では不図示の電池の端子、他方では前述のマイクロスイッチの端子に結線されている。
【００２７】
次に、本考案の商品陳列用フックの一実施形態の水平バーへの取付け取外し操作例を図３に基づいて説明する。
【００２８】
取付け操作は、先ず、フック本体２の水平バー６との係合部２０の後方の垂下壁２２ｂに形成した延出部２３の内面２３’を、水平バー６の後面６２に押し当てる。この時、図１に示すように、延出部２３は矢印Ａの方向に撓み変形する。この状態でフック本体２を押下げると、内方突起４のスライダ面４２が水平バー６の後面６２に沿ってスライドし、水平バー６の下端部６ａが内方突起４の凸部４１を越えて凹部２０ａ内に収まるまで、フック本体２は下動する。水平バー６が凹部２０ａ内に収まった時、図３に示すように、水平バー６の上面６１はフック本体２の基板２１の下面に当接した状態にある。
【００２９】
取外し操作は、図１に示すように、後方の垂下壁２２ｂの延出部２３を手などを用いて矢印Ａの方向に撓ませて、延出部２３の内方突起４と水平バー６の下面６３との係止を外してから、フック本体２を水平バー６から上方に引抜くことにより行われる。こうして、フック本体２の水平バー６からの取外し操作は、容易に行うことができる。
【００３０】
上述した取付け操作により水平バー６に取付けられたフック本体２は、係合部２０の両垂下壁２２ａ、２２ｂの可撓性により両垂下壁２２ａ、２２ｂが水平バー６の前後両面６４・６２を挟みつつ押圧し、内方突起４が水平バー６の下面６３に確実に係合するので、係合容易にも拘わらず、商品の買い手購入者や売り手販売者の意に反して水平バー６から脱落する恐れが小さい。
【００３１】
なお、図示する実施形態は、電源の切替スイッチノブ１３ａがオンにセットされており、商品が商品吊下げ部３２から外されてアーム３の商品吊下げ部３２側が上昇したとき、アーム支持ユニット２５内に配設されている前述のマイクロスイッチが作動し、電源ボックス１１に収納されている電池の電圧がランプ１２に通電し、ランプ１２が点灯している状態を示す。
【図面の簡単な説明】
【００３２】
【図１】本考案に係る商品陳列用フックの一実施形態の側面図。
【図２】図１に示す実施形態の正面図。
【図３】水平バーに係合したときの図１及び２に示す実施形態の斜視図。
【図４】図４（ａ）及び図４（ｂ）は従来例の商品陳列用フックの概略全体図。
【符号の説明】
【００３３】
１      …商品陳列用フック
２      …フック本体
２０    …２の係合部
２０ａ  …２０の凹部
２１    …２０の基板
２２ａ  …２０の前方の垂下壁
２２ｂ  …２０の後方の垂下壁
２３    …２２ｂの延出部
２３’  …２３の内面
４      …内方突起
４１    …４の凸部
４２    …４のスライダ面
６      …水平バー
６２    …６の後面
６４    …６の前面
ｄ      …２２ａ・２２ｂ間の間隔
【図１】
0003144637.tif 000003
【図２】
0003144637.tif 000004
【図３】
0003144637.tif 000005
【図４】
0003144637.tif 000006